【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】  画像データを印刷する印刷装置を選択する第１の選択手段と、
前記画像データを編集する編集情報を選択する第２の選択手段と、
前記画像データに対して、前記第２の選択手段により選択される編集情報に基づいて編集処理が施された編集後の画像データを生成する生成手段と、
前記生成手段により生成された編集処理が施された編集後の画像データを前記第１の選択手段により選択された印刷装置に送信する送信手段と、
前記編集情報を保存する保存手段と、
を有することを特徴とする画像編集装置。
【請求項２】  さらに、前記保存手段により保存された編集情報に基づいて、前記画像データから編集処理が施された編集後の画像データを再生する再生手段を有することを特徴とする請求項１記載の画像編集装置。
【請求項３】  前記編集情報は、プリンタ名、元ファイル名、３Ｄ範囲設定情報、用紙サイズ、用紙の種類、トリミング範囲設定情報のうちの少なくとも一つの情報であることを特徴とする請求項１または請求項２記載の画像編集装置。
【請求項４】  前記再生手段により、前記保存手段により保存された前記編集情報に基づいて前記画像データに対して編集処理が施された編集後の画像データを再生する際、前記保存した前記編集情報のうち、いくつかの情報が不正であった場合でも、該不正であった情報を代替値に置き換える置き換え手段を有することを特徴とする請求項２記載の画像編集装置。
【請求項５】  前記第２の選択手段は、前記画像データを印刷する用紙のサイズ、用紙の種類、該用紙のサイズに適応した印刷範囲を選択することを特徴とする請求項１記載の画像編集装置。
【請求項６】  画像データを印刷する印刷装置を選択する第１の選択ステップと、
前記画像データを編集する編集情報を選択する第２の選択ステップと、
前記画像データに対して、前記第２の選択ステップにより選択される編集情報に基づいて編集処理が施された編集後の画像データを生成する生成ステップと、
前記生成ステップにより生成された編集処理が施された編集後の画像データを前記第１の選択ステップにより選択された印刷装置に送信する送信ステップと、
前記編集情報を保存する保存手段に保存する保存ステップと、
を有することを特徴とする画像編集方法。
【請求項７】  さらに、前記保存手段により保存された編集情報に基づいて、前記画像データから編集処理が施された編集後の画像データを再生する再生ステップを有することを特徴とする請求項６記載の画像編集方法。
【請求項８】  前記編集情報は、プリンタ名、元ファイル名、３Ｄ範囲設定情報、用紙サイズ、用紙の種類、トリミング範囲設定情報のうちの少なくとも一つの情報であることを特徴とする請求項６または請求項７記載の画像編集方法。
【請求項９】  前記再生ステップにより、前記保存手段により保存された前記編集情報に基づいて前記画像データに対して編集処理が施された編集後の画像データを再生する際、前記保存した前記編集情報のうち、いくつかの情報が不正であった場合でも、該不正であった情報を代替値に置き換える置き換えステップを有することを特徴とする請求項７記載の画像編集装置。
【請求項１０】  前記第２の選択ステップは、前記画像データを印刷する用紙のサイズ、用紙の種類、該用紙のサイズに適応した印刷範囲を選択することを特徴とする請求項６記載の画像編集方法。
【請求項１１】  請求項６乃至１０のいずれか１項に記載の画像編集方法をコンピュータに実行させることを特徴とするプログラム。
【請求項１２】  請求項６乃至１０のいずれか１項に記載の画像編集方法を実行させるためのプログラムを記録したコンピュータが読み取り可能な記憶媒体。
【手続補正２】
【補正対象書類名】明細書
【補正対象項目名】０００６
【補正方法】変更
【補正の内容】
【０００６】
本発明は、上記の問題点を解消するためになされたもので、本発明の目的は、画像データに対して画像編集された画像データを保存することなく、画像データと、当該画像データに対する画像編集情報とを保存することで、画像データの保存容量を節減できる仕組みを提供することである。
【手続補正３】
【補正対象書類名】明細書
【補正対象項目名】０００７
【補正方法】変更
【補正の内容】
【０００７】
【課題を解決するための手段】
本発明に係る画像編集装置は、以下の特徴的構成を備える。
画像データを印刷する印刷装置を選択する第１の選択手段と、前記画像データを編集する編集情報を選択する第２の選択手段と、前記画像データに対して、前記第２の選択手段により選択される編集情報に基づいて編集処理が施された編集後の画像データを生成する生成手段と、前記生成手段により生成された編集処理が施された編集後の画像データを前記第１の選択手段により選択された印刷装置に送信する送信手段と、前記編集情報を保存する保存手段と、を有することを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００３３
【補正方法】変更
【補正の内容】
【００３３】
次に、ステップＳ１７で、編集した画像を保存するかどうかを判断し、保存すると判断された場合は、ステップＳ１８で、編集した画像データを図１に示したＨＤ１２１，ＦＤ１２６等に保存する。この時（編集した画像データの保存時）、保存されるデータは、後述する図３に示す通り、前記選択したプリンタ名（プリンタ名３０３）、前記オリジナル画像データ名（元ファイル名３０４）、前記３Ｄ範囲指定情報（３Ｄ範囲設定情報３０５）、用紙サイズ３０６、用紙の種類３０７、トリミング範囲設定情報３０８、……等であり、編集後の画像データ自体はファイル内に保存しないことにより、保存ファイル自体のファイルサイズは、かなり小さいものとなる。
【手続補正１２】
【補正対象書類名】明細書
【補正対象項目名】００８９
【補正方法】変更
【補正の内容】
【００８９】
【発明の効果】
以上説明したように、本発明によれば、画像データに対して画像編集された画像データを保存することなく、画像データと、当該画像データに対する画像編集情報とを保存することで、画像データの保存容量を節減できる。
また、保存された画像データと、当該画像データに対する画像編集情報とに基づいて印刷したい印刷装置から印刷できる画像データを再生することができる。
【手続補正１３】
【補正対象書類名】明細書
【補正対象項目名】００９０
【補正方法】削除
【補正の内容】